(57)【要約】【課題】ディスプレイパターンがポートレイト形態とランドスケープ形態に変更される場合に，変更されたディスプレイパターンに対応して高解像度の３次元映像を実現すること。【解決手段】本発明による立体映像表示装置は，映像を時分割しながら，左眼用映像及び右眼用映像を表示するパネル１００と，パネル１００に垂直信号及び水平信号を含むディスプレイ制御信号を印加してパネル１００を制御するパネル制御部１１０と，パネル１００のいずれか一面に対向配置されて，パネル１００の映像を使用者の左眼と右眼に分離するバリア２００と，バリア２００を制御するバリア制御部２１０とを含み，パネル１００はポートレイト型である第１モードまたはランドスケープ型である第２モードに変換することが可能であり，バリア２００はパネル１００のモード変換に対応して駆動することができる。【選択図】図１
2007128027.tif 000002
【特許請求の範囲】
【請求項１】
映像を時分割し，左眼用映像及び右眼用映像を表示するパネルと；
前記パネルに垂直信号及び水平信号を含むディスプレイ制御信号を印加して，前記パネルを制御するパネル制御部と;
前記パネルのいずれか一面に対向配置されて，前記パネルの映像を使用者の左眼と右眼に分離するバリアと;
前記バリアを制御するバリア制御部を含み；
前記パネルはポートレイト型である第１モードまたはランドスケープ型である第２モードに変換が可能であり，前記バリアは前記パネルのモード変換に対応して駆動することを特徴とする，立体映像表示装置。
【請求項２】
前記バリアは，
第１基板と;
前記第１基板上に第１方向に形成される複数の第１電極と;
前記第１基板上に各々隣接した複数の前記第１電極の間に形成される複数の第２電極と;
前記第１基板と対向配置される第２基板と;
前記第２基板上に形成され，前記第１方向に垂直方向の第２方向に形成される複数の第３電極と;
前記第２基板上に各々隣接した前記第３電極の間に形成される複数の第４電極と;
前記第１基板と前記第２基板との間に配置される液晶層とを含んで成ることを特徴とする，請求項１に記載の立体映像表示装置。
【請求項３】
前記バリア制御部は，前記垂直信号に同期するバリア制御信号によって，前記第１電極，前記第２電極，前記第３電極及び前記第４電極に基準電圧または液晶駆動電圧を印加することを特徴とする，請求項２に記載の立体映像表示装置。
【請求項４】
前記垂直信号は，
第１期間の間ハイレベル電圧をバイアスし，
前記第１期間に連なる第２期間の間にローレベル電圧をバイアスし，
前記第２期間に連なる第３期間の間にハイレベル電圧をバイアスし，
前記第３期間に連なる第４期間の間にローレベル電圧をバイアスし，
前記第１期間，前記第２期間，前記第３期間及び前記第４期間が順次に繰り返されることを特徴とする，請求項１〜３のいずれかに記載の立体映像表示装置。
【請求項５】
前記パネルは，
前記第１期間には左眼用映像及び右眼用映像を含む第１映像を表示し，
前記第３期間には左眼用映像及び右眼用映像のパターンが前記第１映像の左眼用映像及び右眼用映像のパターンと逆に形成される第２映像を表示することを特徴とする，請求項４に記載の立体映像表示装置。
【請求項６】
前記パネルは，
前記第１モードにおいて，
前記第３電極及び前記第４電極に対応するように第１ピクセル列と第２ピクセル列が前記第２方向に沿って形成され，前記第１ピクセル列と前記第２ピクセル列は前記第１方向に沿って交互に反復配置され，
前記第１期間の間に前記第１ピクセル列に左眼用映像が表示され，前記第２ピクセル列に右眼用映像が表示され，
前記第３期間の間に前記第１ピクセル列に右眼用映像が表示され，前記第２ピクセル列に左眼用映像が表示され，
前記第２モードにおいて，
前記第１電極及び前記第２電極に対応するように第１ピクセル行と第２ピクセル行が前記第２方向に沿って形成され，前記第１ピクセル列と前記第２ピクセル列は前記第１方向に沿って交互に反復配置され，
前記第１期間の間に前記第１ピクセル行に左眼用映像が表示され，前記第２ピクセル行に右眼用映像が表示され，
前記第３期間の間に前記第１ピクセル行に右眼用映像が表示され，前記第２ピクセル行に左眼用映像が表示されることを特徴とする，請求項４又は５に記載の立体映像表示装置。
【請求項７】
前記第１モードにおいて，
前記第１期間乃至前記第４期間の間に前記第１電極及び前記第２電極には前記基準電圧を印加し，
前記第１期間には前記第３電極に前記液晶駆動電圧を印加し，
前記第３期間には前記第４電極に前記液晶駆動電圧を印加し，
前記第２モードにおいて，
前記第１期間乃至前記第４期間の間に前記第３電極及び前記第４電極には前記基準電圧を印加し，
前記第１期間には前記第１電極に前記液晶駆動電圧を印加し，
前記第３期間には前記第２電極に前記液晶駆動電圧を印加することを特徴とする，請求項４〜６のいずれかに記載の立体映像表示装置。
【請求項８】
前記バリアは，
前記第１電極を電気的に連結する第１連結電極と;
前記第２電極を電気的に連結する第２連結電極と;
前記第３電極を電気的に連結する第３連結電極と;
前記第４電極を電気的に連結する第４連結電極をさらに含むことを特徴とする，請求項２〜７のいずれかに記載の立体映像表示装置。
【請求項９】
前記パネルは，サブピクセル別に左眼用映像と右眼用映像を分離することを特徴とする，請求項１〜８のいずれかに記載の立体映像表示装置。
【請求項１０】
前記パネルは，ピクセル別に左眼用映像と右眼用映像を分離することを特徴とする，請求項１〜８のいずれかに記載の立体映像表示装置。
【請求項１１】
ポートレイト型である第１モードまたはランドスケープ型である第２モードに変換が可能であり，映像を時分割するパネル，前記パネルにディスプレイ制御信号を印加して前記パネルを制御するパネル制御部，前記パネルのモード変換に対応して駆動し，前記パネルの映像を使用者の左眼と右眼に分離するバリア及び前記バリアを制御するバリア制御部を含んで成る立体映像表示装置の駆動方法において，
前記ディスプレイ制御信号が前記パネル及び前記バリア制御部に印加される段階と;
バリア駆動信号が前記バリアに印加される段階と;
前記バリア駆動信号によって前記バリアの電極に基準電圧または液晶駆動電圧を印加する段階と;
前記液晶駆動電圧によって前記液晶層が駆動して，バリアに光透過部と光遮断部が形成され，前記ディスプレイ制御信号が前記パネルに表示される段階とを含むことを特徴とする，立体映像表示装置の駆動方法。
【請求項１２】
前記バリアは，
第１方向に伸びながら，所定の間隔で離隔して配置される第１電極及び前記第１電極の間に各々配置される第２電極が形成された第１基板と;
第１方向と垂直な第２方向に伸びながら，所定の間隔で離隔して配置される第３電極及び前記第３電極の間に各々配置される第４電極が形成された第２基板と;
前記第１基板と前記第２基板との間に封止される液晶層を含むことを特徴とする，請求項１１に記載の立体映像表示装置の駆動方法。
【請求項１３】
前記ディスプレイ制御信号は垂直信号及び水平信号を含み，
前記バリア制御信号は前記垂直信号に同期することを特徴とする，請求項１１又は１２に記載の立体映像表示装置の駆動方法。
【請求項１４】
前記垂直信号は，
第１期間の間にハイレベル電圧をバイアスし，
前記第１期間に連する第２期間の間にローレベル電圧をバイアスし，
前記第２期間に連する第３期間の間にハイレベル電圧をバイアスし，
前記第３期間に連する第４期間の間にローレベル電圧をバイアスし，
前記第１期間，前記第２期間，前記第３期間及び前記第４期間が順序に繰り返されることを特徴とする，請求項１３に記載の立体映像表示装置の駆動方法。
【請求項１５】
前記パネルは，前記第１期間には左眼用映像及び右眼用映像を含む第１映像を表示し，
前記第３期間には左眼用映像及び右眼用映像のパターンが前記第１映像の左眼用映像及び右眼用映像のパターンと逆に形成される第２映像を表示することを特徴とする，請求項１４に記載の立体映像表示装置の駆動方法。
【請求項１６】
前記パネルは，
前記第１モードにおいて，
前記第３電極及び前記第４電極に対応するように第１ピクセル列と第２ピクセル列が交互に繰り返されて形成され，
前記第１期間の間に前記第１ピクセル列に左眼用映像が表示され，前記第２ピクセル列に右眼用映像が表示され，
前記第３期間の間に前記第１ピクセル列に右眼用映像が表示され，前記第２ピクセル列に左眼用映像が表示され，
前記第２モードにおいて，
前記第１電極及び前記第２電極に対応するように第１ピクセル行と第２ピクセル行が交互に繰り返されて形成され，
前記第１期間の間に前記第１ピクセル行に左眼用映像が表示され，前記第２ピクセル行に右眼用映像が表示され，
前記第３期間の間に前記第１ピクセル行に右眼用映像が表示され，前記第２ピクセル行に左眼用映像が表示されることを特徴とする，請求項１４又は１５に記載の立体映像表示装置の駆動方法。
【請求項１７】
前記第１モードにおいて，
前記第１電極及び前記第２電極には前記基準電圧を印加し，
前記第１期間には前記第３電極に前記液晶駆動電圧を印加し，
前記第３期間には前記第４電極に前記液晶駆動電圧を印加し，
前記第２モードにおいて，
前記第３電極及び前記第４電極には前記基準電圧を印加し，
前記第１期間には前記第１電極に前記液晶駆動電圧を印加し，
前記第３期間には前記第２電極に前記液晶駆動電圧を印加することを特徴とする，請求項１４〜１６のいずれかに記載の立体映像表示装置の駆動方法。
【請求項１８】
前記基準電圧は接地電圧であり，前記液晶駆動電圧は一定の大きさの正電圧または負電圧であることを特徴とする，請求項１１〜１７のいずれかに記載の立体映像表示装置の駆動方法。
【請求項１９】
前記液晶駆動電圧は特定周波数で正の電圧と負の電圧に反転する電圧であることを特徴とする，請求項１１〜１７のいずれかに記載の立体映像表示装置の駆動方法。
【発明の詳細な説明】
【技術分野】
【０００１】
本発明は立体映像表示装置に関し，より詳しくはパララックスバリア(parallax barrier)を使用するオートステレオスコピ(autostereoscopy)方式の立体映像表示装置及びその駆動方法に関するものである。
【背景技術】
【０００２】
立体映像表示装置は，使用者の左眼と右眼に互いに異なるイメージを提供して，使用者が見る映像に距離感と立体感を感じるようにする装置であって，ここにはステレオスコピ方式とオートステレオスコピ方式がある。最近は装置使用者が偏光眼鏡のような装備を着用せず立体映像を視聴することができるオートステレオスコピ方式が活発に開発されている。
【０００３】
通常のオートステレオスコピ装置はパネル全面にパララックスバリア，レンチキュラーレンズ(lenticular lens)またはマイクロレンズアレイ(microlens array)等を備えて，パネルで実現されたイメージを空間分割する方式を採択している。
【０００４】
特に，パララックスバリアは透過型液晶表示素子を応用した液晶シャッターで製作することができ，この場合，２次元モードと３次元モードの変換が可能な長所があって，ノートパソコンやモバイルフォンなどに容易に適用できる。
【０００５】
通常のパララックスバリアはディスプレイパネルの縦方向に沿って長く配列された帯状の光遮断部と光透過部で構成される。このようなパララックスバリアはパネルにおけるサブピクセル別或いはピクセル別に分離されて実現された左眼イメージと右眼イメージを光透過部を通じて選択的に使用者の左眼方向と右眼方向に分離させる。
【０００６】
一般にこのようなパララックスバリア方式は左右映像をディスプレイのピクセルに各々入力させ，左眼と右眼の映像をバリアを利用して空間的に分離する。
【発明の開示】
【発明が解決しようとする課題】
【０００７】
しかし，左眼映像と右眼映像が空間的に分割されて使用者の両眼に各々入るために，既存の２次元映像解像度の半分のみが見られる問題がある。つまり，立体映像の解像度が２次元映像解像度の半分に止まる。
【０００８】
また，最近は縦方向の長いポートレイト形態と，ゲームをしたり，テレビ，動画などを見たり，デジタルカメラが内蔵された場合には広い画面が見られるようにするために，横方向の長いランドスケープ形態の２種類で画面を表示できるように，画面を垂直に回して表示できる表示装置が開発されている。
【０００９】
上述したパララックスバリアはポートレイト形態とランドスケープ形態のうちのいずれか一つに合わせて製作しなければならず，ポートレイト形態に合うバリアが製作されれば，ランドスケープ形態の画面では立体映像が見られないという問題がある。
【００１０】
そこで，本発明は前記問題点を解消するためのものであって，本発明の目的は，イメージが実現されるディスプレイパターンがポートレイト形態とランドスケープ形態に変更される場合にも，変更されたディスプレイパターンに対応して高解像度の３次元映像が実現できる立体映像表示装置及びその立体映像表示装置の駆動方法を提供することにある。
【課題を解決するための手段】
【００１１】
上述した目的を達成するために本発明による立体映像表示装置は，映像を時分割しながら，左眼用映像及び右眼用映像を表示するパネルと，パネルに垂直信号及び水平信号を含むディスプレイ制御信号を印加してパネルを制御するパネル制御部と，パネルのいずれか一面に対向配置されて，パネルの映像を使用者の左眼と右眼に分離するバリア及びバリアを制御するバリア制御部を含み，パネルはポートレイト型である第１モードまたはランドスケープ型である第２モードに変換が可能であり，バリアはパネルのモード変換に対応して駆動することができる。
【００１２】
この場合，バリアは第１基板，第１基板上に第１方向に形成される第１電極，第１基板上に各々隣接した第１電極の間に形成される第２電極，第１基板と対向配置される第２基板，第２基板上に形成され，第１方向に垂直方向の第２方向に形成される第３電極，第２基板上に各々隣接した第３電極の間に形成される第４電極及び第１基板と第２基板との間に配置される液晶層を含むことができる。
【００１３】
また，バリア制御部は垂直信号に同期するバリア制御信号によって第１電極，第２電極，第３電極及び第４電極に基準電圧または液晶駆動電圧を印加することができる。
【００１４】
垂直信号は第１期間の間にハイレベル電圧をバイアスし，第１期間に連なる第２期間の間にローレベル電圧をバイアスし，第２期間に連なる第３期間の間にハイレベル電圧をバイアスし，第３期間に連なる第４期間の間にローレベル電圧をバイアスし，第１期間，第２期間，第３期間及び第４期間を順次に繰り返すことができる。
【００１５】
パネルは第１期間には左眼用映像及び右眼用映像を含む第１映像を表示し，第３期間には左眼用映像及び右眼用映像のパターンが第１映像の左眼用映像及び右眼用映像のパターンと逆に形成される第２映像を表示することができる。
【００１６】
また，パネルは第１モードにおいて第３電極及び第４電極に対応するように第１ピクセル列と第２ピクセル列が第２方向に沿って形成され，第１ピクセル列と第２ピクセル列は第１方向に沿って交互に反復配置され，第１期間の間に第１ピクセル列に左眼用映像が表示され，第２ピクセル列に右眼用映像が表示され，第３期間の間に第１ピクセル列に右眼用映像が表示され，第２ピクセル列に左眼用映像が表示され，第２モードにおいて第１電極及び第２電極に対応するように第１ピクセル行と第２ピクセル行が第２方向に沿って形成され，第１ピクセル列と第２ピクセル列は第１方向に沿って交互に反復配置され，第１期間の間に第１ピクセル行に左眼用映像が表示され，第２ピクセル行に右眼用映像が表示され，第３期間の間に第１ピクセル行に右眼用映像が表示され，第２ピクセル行に左眼用映像が表示されることができる。
【００１７】
この場合，第１モードにおける第１期間乃至第４期間の間に第１電極及び第２電極には基準電圧を印加し，第１期間には第３電極に液晶駆動電圧を印加し，第３期間には第４電極に液晶駆動電圧を印加し，第２モードにおける第１期間乃至第４期間の間に第３電極及び第４電極には基準電圧を印加し，第１期間には第１電極に液晶駆動電圧を印加し，第３期間には第２電極に液晶駆動電圧を印加することができる。
【００１８】
一方，バリアは第１電極を電気的に連結する第１連結電極，第２電極を電気的に連結する第２連結電極，第３電極を電気的に連結する第３連結電極及び第４電極を電気的に連結する第４連結電極をさらに含むことができる。
【００１９】
また，パネルはサブピクセル別またはピクセル別に左眼用映像と右眼用映像を分離することができる。
【００２０】
一方，本発明による立体映像表示装置の駆動方法は，ディスプレイ制御信号がパネル及びバリア制御部に印加される段階と，バリア駆動信号がバリアに印加される段階と，バリア駆動信号によってバリアの電極に基準電圧または液晶駆動電圧を印加する段階と，液晶駆動電圧によって液晶層が駆動して，バリアに光透過部と光遮断部が形成され，ディスプレイ制御信号がパネルに表示される段階を含むことができる。
【００２１】
この場合，バリアは，第１方向に伸びながら，所定の間隔で離隔して配置される第１電極及び第１電極の間に各々配置される第２電極が形成された第１基板と，第１方向と垂直な第２方向に伸びながら，所定の間隔で離隔して配置される第３電極及び前記第３電極の間に各々配置される第４電極が形成された第２基板と，第１基板と第２基板との間に封止される液晶層を含むことができる。
【００２２】
また，ディスプレイ制御信号は垂直信号及び水平信号を含むことができ，バリア制御信号は垂直信号に同期することができる。
【００２３】
また，垂直信号は，第１期間の間にハイレベル電圧をバイアスし，第１期間に連する第２期間の間にローレベル電圧をバイアスし，第２期間に連する第３期間の間にハイレベル電圧をバイアスし，第３期間に連する第４期間の間にローレベル電圧をバイアスし，第１期間，第２期間，第３期間及び第４期間が順次に繰り返されることができる。
【００２４】
また，パネルは，第１期間には左眼用映像及び右眼用映像を含む第１映像を表示し，第３期間には左眼用映像及び右眼用映像のパターンが前記第１映像の左眼用映像及び右眼用映像のパターンと逆に形成される第２映像を表示することができる。
【００２５】
また，パネルは，第１モードにおいて，第３電極及び前記第４電極に対応するように第１ピクセル列と第２ピクセル列が交互に繰り返されて形成され，第１期間の間に前記第１ピクセル列に左眼用映像が表示され，前記第２ピクセル列に右眼用映像が表示され，第３期間の間に前記第１ピクセル列に右眼用映像が表示され，前記第２ピクセル列に左眼用映像が表示され，第２モードにおいて，第１電極及び前記第２電極に対応するように第１ピクセル行と第２ピクセル行が交互に繰り返されて形成され，第１期間の間に前記第１ピクセル行に左眼用映像が表示され，第２ピクセル行に右眼用映像が表示され，第３期間の間に第１ピクセル行に右眼用映像が表示され，第２ピクセル行に左眼用映像が表示されることができる。
【００２６】
また，第１モードにおいて，第１電極及び第２電極には基準電圧を印加し，第１期間には第３電極に液晶駆動電圧を印加し，第３期間には第４電極に液晶駆動電圧を印加し，第２モードにおいて，第３電極及び第４電極には基準電圧を印加し，第１期間には第１電極に液晶駆動電圧を印加し，第３期間には第２電極に液晶駆動電圧を印加することができる。
【００２７】
この場合，基準電圧は接地電圧であり，液晶駆動電圧は一定の大きさの正電圧または負電圧にすることができ，液晶駆動電圧は特定周波数で正の電圧と負の電圧に反転される電圧にすることができる。
【発明の効果】
【００２８】
本発明による立体映像表示装置及びその駆動方法によれば，一つのバリアを使用して横方向及び縦方向の転換が可能で，高解像度を有する立体映像を表示することができる。
【発明を実施するための最良の形態】
【００２９】
以下に添付図面を参照しながら，本発明の好適な実施の形態について当業者が容易に実施できるように詳細に説明する。なお，本明細書及び図面において，実質的に同一の機能構成を有する構成要素については，同一の符号を付することにより重複説明を省略する。なお，本発明は多様で相異なる形態に実現することができ，ここで説明する実施形態に限定されるわけではない。
【００３０】
図１には本発明の実施形態による立体映像表示装置を概略的に示した。図１に示しているように，本発明の実施形態による立体映像表示装置はパネル１００，パネル制御部１１０，バリア２００及びバリア制御部２１０を含む。
【００３１】
パネル制御部１１０は映像信号（Ｒ，Ｇ，Ｂ  ｄａｔａ），水平信号，垂直信号を含むディスプレイ制御信号Ｄをバリア制御部２１０及びパネル１００に各々伝達する。
【００３２】
パネル制御部１１０から印加されたディスプレイ制御信号Ｄによって，パネル１００は所定のパターンを有する左眼用映像と右眼用映像を表示する。この場合，パネル１００に表示される左眼用映像及び右眼用映像のパターンが互いに異なる第１映像と第２映像が所定の周波数を持って繰り返して表示される。
【００３３】
パネル１００は今まで開発された全ての表示装置を用いることができる。例えば，パネル１００は負極線管（ＣＲＴ），液晶表示素子（ＬＣＤ），プラズマディスプレイパネル（ＰＤＰ），電界放出表示装置（ＦＥＤ）及び有機電界発光素子（ＯＬＥＤ）のうちのいずれか一つを用いることができる。
【００３４】
バリア制御部２１０はパネル制御部１１０からディスプレイ制御信号Ｄを受信してバリア２００を駆動する。バリア２００の電極はパネル１００がポートレイト型である第１モードＭ１またはランドスケープ型である第２モードＭ２で左眼用映像と右眼用映像が分離できる構造に形成される。このようなバリア２００電極の詳細な構造について図２，図３及び図４を参照して説明する。
【００３５】
図２は，本発明の第１実施形態によるバリア２００の部分断面を示す断面図である。図２に示しているように，バリア２００は任意の間隔を間において配置される第１基板１０及び第２基板１２を含む。本実施形態における第１基板１０及び第２基板１２は，一対の短辺と長辺を有する長方形のガラス基板で形成することができる。
【００３６】
ここで，第１基板１０と第２基板１２が互いに対向する各々の面には第１基板１０と第２基板１２との間に配置される液晶２２を駆動させるための電極が形成される。第１基板１０には第１電極１４及び第２電極（図示せず）が形成され，第２基板１２には第３電極１８及び第４電極２０が形成される。このような電極は酸化インジウムスズ（ＩＴＯ）のような透明材質で構成できるもので，以下では電極の構造について具体的に説明する。
【００３７】
図３は，第１基板１０に形成された電極の構造を示す模式図である。図３に示しているように，第１基板１０の上に形成される第１電極１４は第１基板１０の短辺に対応する第１方向（図面のＸ軸方向）に沿って長く形成される。第１電極１４は帯状パターンで形成されながら，その間に任意の間隔をおいて第１基板１０に配列される。
【００３８】
また，第１基板１０の上には第１電極１４を電気的に連結する第１連結電極１４ａが第１方向と垂直する第２方向（図面のＹ軸方向）に沿って形成されて，第１電極１４の一端に連結される。
【００３９】
同様に，第１基板１０上には第２電極１６及び第２電極１６を電気的に連結する第２連結電極１６ａが形成される。具体的に第１基板１０の上に形成される第２電極１６は，第１基板１０の第１方向（図３のＸ軸方向）に沿って長く配置される。第２電極１６は帯状パターンで形成されながら，第１電極１４の間に各々配列される。
【００４０】
また，第１基板１０の上には第２連結電極１６ａが第１方向と垂直する第２方向（図面のＹ軸方向）に長く伸びており，第２電極１６の一端に連結される。
【００４１】
このように第１基板１０上に形成された電極は隣接した第１電極１４と第２電極１６の間の所定間隔を除いて，パネルの表示領域に対応する領域全体を実質的に覆うように形成される。
【００４２】
図４は，第２基板１２に形成された電極の構造を示す模式図である。図４に示しているように，第２基板１２に形成された電極は，第２基板１２の一方向に沿って任意の間隔を間において配置される多数の第３電極１８及び第４電極２０，第３電極１８を電気的に連結する第３連結電極１８a及び第４電極２０を電気的に連結する第４連結電極２０ａを含む。
【００４３】
ここで，第３電極１８と第４電極２０は第１方向（図面のＸ軸方向）に対して垂直な第２方向（図面のＹ軸方向）に沿って帯状パターンで配置される。
【００４４】
つまり，第１電極１４，第２電極１６と第３電極１８，第４電極２０は互いに第１基板１０と第２基板１２が結合された時，直角をなす状態に交差して配置される。
【００４５】
このように，第２基板１２上に形成された電極は隣接した第３電極１８と第４電極２０の間の所定の間隔を除いてパネル１００の表示領域に対応する領域全体を実質的に覆うように形成される。
【００４６】
以下では本発明の実施形態による立体映像表示装置が第１モードＭ１及び第２モードＭ２で駆動される方法について説明する。
【００４７】
図５には本発明の実施形態による立体映像表示装置が適用された携帯電話機の第１モードＭ１における状態を示した。図示しているように，第１モードＭ１でパネルはポートレイト型に映像を表示する。この場合，バリアはパネルの動作に対応して回転しながら駆動する。以下で具体的な駆動方法を説明する。
【００４８】
図６は，第１モードＭ１で垂直信号，第３電極１８及び第４電極２０に印加される電圧間の関係を示すタイミングチャートである。パネル制御部から印加される垂直信号はオンタイムである第１期間Ｔ１の間に一定のハイレベル電圧がバイアスされ，ブランクタイムである第２期間Ｔ２の間にローレベル電圧がバイアスされ，またオンタイムである第３期間Ｔ３の間にハイレベル電圧がバイアスされ，ブランクタイムである第４期間Ｔ４の間にローレベル電圧がバイアスされる。
【００４９】
このような垂直信号に同期するバリア駆動信号によってバリアが駆動される。具体的に，第３電極１８には第１期間Ｔ１の間に一定の大きさの液晶駆動電圧が印加され，第４電極２０には第３期間Ｔ３の間に液晶駆動電圧が印加される。
【００５０】
次に，第１モードＭ１におけるパネルの作動を説明する。図７及び図８は，垂直信号によるパネルピクセルの配列を示す模式図である。第１モードＭ１では第２方向（図面のＹ軸方向）を沿って長く形成される第１ピクセル列３０及び第２ピクセル列３２が第１方向（図面のＸ軸方向）に沿って交互に反復配置される。
【００５１】
図７に示しているように，第１期間Ｔ１には第１ピクセル列３０は左眼用映像信号に対応して左眼用映像ＬＲ，ＬＧ，ＬＢを表示し，第２ピクセル列３２は右眼用映像信号に対応して右眼用映像ＲＲ，ＲＧ，ＲＢを表示する。このように第１期間Ｔ１の間にパネルには第１モードＭ１の第１映像が表示される。
【００５２】
一方，図８に示しているように，第３期間Ｔ３には第１期間Ｔ１とは反対に，第１ピクセル列３０に右眼用映像信号に対応して右眼用映像ＲＲ，ＲＧ，ＲＢを表示し，第２ピクセル列３２には左眼用映像信号に対応して左眼用映像ＬＲ，ＬＧ，ＬＢを表示する。このように第３期間Ｔ３の間にパネルには第１モードＭ１の第２映像が表示される。
【００５３】
次に，第１モードＭ１における各電極の駆動を説明する。図９及び図１０は第１モードＭ１で各電極に印加される電圧を示す模式図である。
【００５４】
図９に示しているように，第１電極１４と第２電極１６には各々第１連結電極１４ａ及び第２連結電極１６ａを通じて基準電圧，例えば，接地電圧が印加される。そのために第１電極１４と第２電極１６は一つの一体型電極のように作用する。
【００５５】
図１０に示しているように，パネルが第１映像を表示する第１期間Ｔ１には，第３電極１８には第３連結電極１８aを通じて液晶駆動電圧が印加され，第４電極２０には第４連結電極２０ａを通じて基準電圧，例えば，接地電圧が印加される。
【００５６】
液晶駆動電圧は，図１０には一例として一定の大きさの正電圧が印加されると示しているが，これとは異なって，一定の大きさの負電圧が印加されててもよく，特定周波数で正電圧と負電圧に反転する電圧であってもよい。
【００５７】
このように駆動することによって，第１モードＭ１の第１期間Ｔ１の間に第１基板１０の表示領域を実質的に覆っている第１電極１４及び第２電極１６は共通電極としての役割を果たし，第２基板１２の第３電極１８は液晶を駆動する電極としての役割を果たす。
【００５８】
バリア２００の液晶がノーマリブラック状態である場合，第１期間Ｔ１の間に第３電極１８が位置する領域は光透過領域となり，第４電極２０が位置する領域は光遮断領域となる。
【００５９】
また，バリアの液晶がノーマリホワイト状態である場合には，これと反対のパターンで光透過領域と光遮断領域が形成される。したがって，バリアは光透過領域が第２方向（図面のＹ軸方向）に長く形成された帯状形態のバリアで駆動される。
【００６０】
一方，図示してはいないが，パネルが第２映像を表示する第３期間Ｔ３には第３電極１８には第３連結電極１８ａを通じて基準電圧が印加され，第４電極２０には第４連結電極２０ａを通じて液晶駆動電圧が印加される。
【００６１】
したがって，この場合，第１モードＭ１の第３期間Ｔ３の間に第１電極１４及び第２電極１６は共通電極としての役割を果たし，第４電極２０は液晶を駆動する電極としての役割を果たす。これによって，上述した第１期間Ｔ１とは反対のパターンで光透過領域と光遮断領域が形成される。このような方式によって，パネルのピクセル配列とバリアが互いに対応する。
【００６２】
このようなパネルとバリア電極の駆動によって，使用者の左眼は第１期間Ｔ１の間に第１ピクセル列３０のイメージを見て，第３期間Ｔ３の間に第２ピクセル列３２のイメージを見る。
【００６３】
また，使用者の右眼はこれとは反対に，第１期間Ｔ１の間に第２ピクセル列３２のイメージを見て，第３期間Ｔ３の間に第１ピクセル列３０のイメージを見る。したがって，使用者は２Ｄのような解像度を有する立体映像が見られる。
【００６４】
次に，本発明の実施形態による立体映像表示装置が第２モードＭ２で駆動される方法について説明する。
【００６５】
図１１には本発明の実施形態による立体映像表示装置が適用された携帯電話機の第２モードＭ２における状態を示した。図示しているように，第２モードＭ２におけるパネルはランドスケープ型で映像を表示する。この場合，バリアはパネルの動作に対応して駆動する。以下で具体的な駆動方法を説明する。
【００６６】
図１２には第２モードＭ２で垂直信号，第１電極及び第２電極に印加される電圧間の関係を示した。パネル制御部から印加される垂直信号は上述した第１モードＭ１と同様に，オンタイムである第１期間Ｔ１の間に一定のハイレベル電圧がバイアスされ，ブランクタイムである第２期間Ｔ２の間にローレベル電圧がバイアスされ，またオンタイムである第３期間Ｔ３の間にハイレベル電圧がバイアスされ，ブランクタイムである第４期間Ｔ４の間にローレベル電圧がバイアスされる。
【００６７】
また，第１電極には第１期間Ｔ１の間に液晶駆動電圧が印加され，第２電極には第３期間Ｔ３の間に液晶駆動電圧が印加される。
【００６８】
図１３及び図１４には垂直信号によるパネルピクセルの配列を示した。第２モードＭ２では第２方向（図面のＹ軸方向）に沿って長く形成される第１ピクセル行３４及び第２ピクセル行３６が第１方向（図面のＸ軸方向）に沿って交互に反復配置される。
【００６９】
図１３に示されているように，第１期間Ｔ１において第１ピクセル行３４は右眼用映像信号に対応して右眼用映像ＲＲ，ＲＧ，ＲＢを表示し，第２ピクセル行３６は左眼用映像信号に対応して左眼用映像ＬＲ，ＬＧ，ＬＢを表示する。このように第１期間Ｔ１の間にパネルには第２モードＭ２の第１映像が表示される。
【００７０】
一方，図１４に示しているように，第３期間Ｔ３には第１期間Ｔ１とは反対に，第１ピクセル行３４は左眼用映像信号に対応して左眼用映像ＬＲ，ＬＧ，ＬＢを表示し，第２ピクセル行３６は右眼用映像信号に対応して右眼用映像ＲＲ，ＲＧ，ＲＢを表示する。このように第３期間Ｔ３の間にパネルには第２モードＭ２の第２映像が表示される。
【００７１】
図１５及び図１６は第２モードで各電極に印加される電圧を示している。図１５に示しているように，パネルが第１映像を表示する第１期間Ｔ１において第１電極１４には第１連結電極１４ａを通じて液晶駆動電圧が印加され，第２電極１６には第２連結電極１６ａを通じて基準電圧，例えば，接地電圧が印加される。
【００７２】
液晶駆動電圧は図１５には一例として一定の大きさの正電圧が印加されることを示したが，これとは異なって，一定の大きさの負電圧が印加されてもよく，特定周波数で正電圧と負電圧に反転する電圧であってもよい。
【００７３】
図１６に示しているように，第３電極１８と第４電極２０には各々第３連結電極１８ａ及び第４連結電極２０ａを通じて基準電圧，例えば，接地電圧が印加される。その結果，第３電極１８と第４電極２０は一体型電極のように作用する。
【００７４】
このように駆動することによって，第２モードＭ２の第１期間Ｔ１の間に第１電極１４は液晶を駆動する電極としての役割を果たし，第２基板１２の第３電極１８及び第４電極２０は共通電極としての役割を果たす。
【００７５】
バリア２００の液晶がノーマリブラック状態である場合，第１期間Ｔ１の間に第１電極１４が位置する領域は光透過領域となり，第２電極１６が位置する領域は光遮断領域となる。また，バリアの液晶がノーマリホワイト状態である場合には，これと反対のパターンで光透過領域と光遮断領域が形成される。したがって，バリアは光透過領域が第２方向（図面のＹ軸方向）に長く形成された帯状のバリアで駆動される。
【００７６】
一方，図示していないが，パネルが第２映像を表示する第３期間Ｔ３において第１電極１４には第３連結電極１４ａを通じて基準電圧が印加され，第２電極１６には第２連結電極１６ａを通じて液晶駆動電圧が印加される。
【００７７】
したがって，この場合，第２モードＭ２の第３期間Ｔ３の間に第２電極１６は液晶を駆動する電極としての役割を果たし，第３電極１８及び第４電極２０は共通電極としての役割を果たす。
【００７８】
そのために，上述した第１期間Ｔ１とは反対のパターンで光透過領域と光遮断領域が形成される。このような方式によってパネルのピクセル配列とバリアが互いに対応する。
【００７９】
このようなパネルとバリア電極の駆動によって，使用者の左眼は第１期間Ｔ１の間に第１ピクセル行３４のイメージを見て，第３期間Ｔ３の間に第２ピクセル行３６のイメージを見る。
【００８０】
また，使用者の右眼はこれとは反対に，第１期間Ｔ１の間に第２ピクセル行３６のイメージを見て，第３期間Ｔ３の間に第１ピクセル行３４のイメージを見る。したがって，使用者はパネルの第２モードＭ２，つまり，ランドスケープ型でも２Ｄのような解像度を有する立体映像が見られる。
【００８１】
前記では本発明の好ましい実施形態について説明したが，本発明はこれに限定されず，特許請求の範囲と発明の詳細な説明及び添付した図面の範囲内で多様に変形して実施することができ，これもまた本発明の範囲に属することは当然である。
【図面の簡単な説明】
【００８２】
【図１】本発明の実施形態による立体映像表示装置の概略図である。
【図２】本発明の実施形態によるバリアの部分断面図である。
【図３】第１基板上に形成された電極の構造を示す平面図である。
【図４】第２基板上に形成された電極の構造を示す平面図である。
【図５】本発明の実施形態による立体映像表示装置を適用した電子機器の第１モード状態を示した斜視図である。
【図６】第１モードにおいて垂直信号と第３電極及び第４電極に印加された電圧の関係を示すグラフである。
【図７】第１モードの第１期間におけるパネルのピクセル配列を示す概略図である。
【図８】第１モードの第３期間でパネルのピクセル配列を示す概略図である。
【図９】第１モードで第１基板上に形成された電極の駆動を示す概略図である。
【図１０】第１モードで第２基板上に形成された電極の駆動を示す概略図である。
【図１１】本発明の実施形態による立体映像表示装置を適用した電子機器の第２モード状態を示した斜視図である。
【図１２】第１モードで垂直信号と第１電極及び第２電極に印加された電圧の関係を示すグラフである。
【図１３】第２モードの第１期間でパネルのピクセル配列を示す概略図である。
【図１４】第２モードの第３期間でパネルのピクセル配列を示す概略図である。
【図１５】第２モードで第１基板上に形成された電極の駆動を示す概略図である。
【図１６】第２モードで第２基板上に形成された電極の駆動を示す概略図である。
【符号の説明】
【００８３】
１０      第１基板
１２      第２基板
１４      第１電極
１６      第２電極
１６ａ    第２連結電極
１８      第３電極
１８ａ    第３連結電極
２０      第４電極
２０ａ    第４連結電極
２２      液晶
３０      第１ピクセル列
３２      第２ピクセル列
１００    パネル
１１０    パネル制御部
２００      バリア
２１０      バリア制御部
Ｍ１      第１モード
Ｍ２      第２モード
【図１】
2007128027.tif 000003
【図２】
2007128027.tif 000004
【図３】
2007128027.tif 000005
【図４】
2007128027.tif 000006
【図５】
2007128027.tif 000007
【図６】
2007128027.tif 000008
【図７】
2007128027.tif 000009
【図８】
2007128027.tif 000010
【図９】
2007128027.tif 000011
【図１０】
2007128027.tif 000012
【図１１】
2007128027.tif 000013
【図１２】
2007128027.tif 000014
【図１３】
2007128027.tif 000015
【図１４】
2007128027.tif 000016
【図１５】
2007128027.tif 000017
【図１６】
2007128027.tif 000018